(57)【要約】【課題】撮影機能及びインターネット接続機能を持つ他の装置によって、情報記録媒体から読み出されたインターネット接続先に迅速且つ容易にアクセスすることができる映像再生装置を提供する。【解決手段】映像再生装置１００は、大容量光ディスク１０６に記録されたデータを読み取る光ディスクドライブと、読み取られたデータからインターネット接続先情報２０１を抽出する抽出手段と、抽出されたインターネット接続先情報を２次元コードデータ２０３ａに変換する２次元コード生成手段と、生成された２次元コードデータ２０３ａに応じた２次元コード２０３の映像を表示装置１０５に表示させる表示制御手段とを有し、携帯端末装置は、２次元コード２０３の撮影データからインターネット接続先情報を復元し、インターネット上のサーバにインターネット接続する。【選択図】図２
2008294910.tif 000002
【特許請求の範囲】
【請求項１】
少なくとも映像データを格納する情報記録媒体を再生する映像再生装置において、
前記情報記録媒体が格納するデータを読み取る読取手段と、
前記読取手段によって読み取られた前記データからインターネット接続先情報を抽出する抽出手段と、
前記抽出手段によって抽出された前記インターネット接続先情報を２次元コードデータに変換する２次元コード生成手段と、
前記２次元コードデータに応じた２次元コードの映像を表示装置に表示させる表示データを生成する表示制御手段と
を有することを特徴とする映像再生装置。
【請求項２】
前記情報記録媒体は、光ディスクであり、
前記２次元コードは、ＱＲコードである
ことを特徴とする請求項１に記載の映像再生装置。
【請求項３】
前記情報記録媒体は、固有の媒体識別情報を格納しており、
前記抽出手段は、前記読取手段によって読み取られた前記データから前記媒体識別情報を抽出する手段を有し、
前記２次元コード生成手段は、前記インターネット接続先情報に前記媒体識別情報を付加した情報を前記２次元コードデータに変換する手段を有する
ことを特徴とする請求項１又は２に記載の映像再生装置。
【請求項４】
前記表示制御手段は、前記映像データに応じた映像に前記２次元コードの映像を重ねて表示させる手段を有することを特徴とする請求項１乃至３のいずれか１項に記載の映像再生装置。
【請求項５】
前記抽出手段によって抽出された前記インターネット接続先情報を暗号化する暗号化手段をさらに有し、
前記２次元コード生成手段は、暗号化された前記インターネット接続先情報から暗号化された前記２次元コードデータを生成する手段を有する
ことを特徴とする請求項１乃至４のいずれか１項に記載の映像再生装置。
【請求項６】
端末装置との間で情報の送受信を行う通信手段と、
各端末装置に固有の端末識別情報を登録識別情報として記憶する識別情報記憶手段と、
前記通信手段で受信された前記端末装置の端末識別情報が、前記識別情報記憶手段に登録済みか否かを判断し、登録済みである場合には、暗号化された前記２次元コードデータを復号するために用いる復号化鍵を前記通信手段から前記端末装置に送信させる復号制御手段と
をさらに有することを特徴とする請求項５に記載の映像再生装置。
【請求項７】
前記通信手段は、赤外線通信手段であることを特徴とする請求項６に記載の映像再生装置。
【請求項８】
前記２次元コード生成手段は、前記表示装置に表示される前記２次元コードの映像を構成する最小セルの縦方向の長さを、前記表示装置の隣接する偶数走査線と奇数走査線の垂直走査方向の間隔の偶数倍の長さに変換する手段を有することを特徴とする請求項１乃至７のいずれか１項に記載の映像再生装置。
【請求項９】
前記表示装置の画面の縦横比を取得する手段と、
前記表示装置に表示される前記２次元コードの映像を構成する最小セルの縦方向の長さと横方向の長さの比率を、取得された前記縦横比の逆数の比率に変換する比率変更手段と
をさらに有することを特徴とする請求項１乃至８のいずれか１項に記載の映像再生装置。
【請求項１０】
ネットワークを介してアクセス可能な不揮発性記憶手段を有する他の映像再生装置に、ネットワークを介してアクセス可能に接続するネットワーク接続手段をさらに有することを特徴とする請求項１乃至９のいずれか１項に記載の映像再生装置。
【請求項１１】
ネットワークを介してアクセス可能な不揮発性記憶手段を有するパーソナルコンピュータに、ネットワークを介してアクセス可能に接続するネットワーク接続手段をさらに有することを特徴とする請求項１乃至９のいずれか１項に記載の映像再生装置。
【発明の詳細な説明】
【技術分野】
【０００１】
本発明は、インターネット接続手段を持つ装置にインターネット接続を実行させることができるインターネット接続先情報（インターネットアクセス先情報）が映像データと共に格納された大容量光ディスク等のような情報記録媒体を再生する映像再生装置に関し、特に、情報記録媒体から読み出されたインターネット接続先情報から変換されたＱＲコード等のような２次元コードの映像を表示装置に表示させる映像信号を出力することができる映像再生装置に関するものである。
【背景技術】
【０００２】
ブルーレイディスク（ＢＤ）−ＲＯＭ規格プロファイル１は、インターネット接続機能を規定していない。このため、映像再生装置は、ＢＤ−ＲＯＭ規格プロファイル１に対応する、インターネット接続情報が格納されていないＢＤ−ＲＯＭから映像を再生することはできるが、このＢＤ−ＲＯＭに記録されている情報を使って、所望のアクセス先にインターネット接続することはできない。
【０００３】
一方、ＢＤ−ＲＯＭ規格プロファイル２は、インターネット接続機能を規定している。このため、ＢＤ−ＲＯＭ規格プロファイル２に対応する映像再生装置は、ＢＤ−ＲＯＭ規格プロファイル２に対応する、インターネット接続先情報が格納されているＢＤ−ＲＯＭから映像を再生することができると共に、このＢＤ−ＲＯＭに格納されているインターネット接続先情報を使って、所望のアクセス先にインターネット接続することができる（例えば、特許文献１参照）。
【０００４】
【特許文献１】特開２００６−７４５０２号公報
【発明の開示】
【発明が解決しようとする課題】
【０００５】
しかし、ＢＤ−ＲＯＭ規格プロファイル２に対応するＢＤ−ＲＯＭを、ＢＤ−ＲＯＭ規格プロファイル１にしか対応していない、インターネット接続機能を持たない映像再生装置で再生する場合には、ＢＤ−ＲＯＭに格納されたインターネット接続先情報を使って、所望のアクセス先にインターネット接続することができないという問題がある。
【０００６】
映像再生装置がインターネット接続機能を持たない場合、インターネット接続機能を持つ他の装置、例えば、パーソナルコンピュータ（ＰＣ）又は携帯電話のキー操作によってインターネット接続先のＵＲＬを手入力して、インターネット接続先からＢＤ−ＲＯＭコンテンツに関する情報を取得することは可能である。しかし、映像再生装置がインターネット接続機能を持たない場合、インターネット上のサーバに迅速且つ容易にアクセスできないため、この映像再生装置とインターネット上のサーバとの間のインタラクティブな機能を実現できないという問題がある。例えば、ＢＤ−ＲＯＭが、ＢＤ−ＲＯＭコンテンツに規定されている情報がインターネット上のサーバが要求する条件を満たしていると判断した場合にのみアクセス可能な隠しコンテンツを、格納している場合には、ＢＤ−ＲＯＭに格納されているコンテンツ（隠しコンテンツ）でありながら、隠しコンテンツにアクセスできないことがある。
【０００７】
そこで、本発明は、上記従来技術の課題を解決するためになされたものであり、その目的は、撮影機能及びインターネット接続機能を持つ他の装置によって、情報記録媒体から読み出されたインターネット接続先に迅速且つ容易にアクセスすることができる映像再生装置を提供することにある。
【課題を解決するための手段】
【０００８】
本発明に係る映像再生装置は、少なくとも映像データを格納する情報記録媒体を再生する映像再生装置であって、前記情報記録媒体が格納するデータを読み取る読取手段と、前記読取手段によって読み取られた前記データからインターネット接続先情報を抽出する抽出手段と、前記抽出手段によって抽出された前記インターネット接続先情報を２次元コードデータに変換する２次元コード生成手段と、前記２次元コードデータに応じた２次元コードの映像を表示装置に表示させる表示データを生成する表示制御手段とを有することを特徴としている。
【発明の効果】
【０００９】
本発明によれば、情報記録媒体から読み出されたインターネット接続先情報から変換された２次元コードデータに応じた２次元コードの映像を表示装置に表示させることができるので、撮影機能及びインターネット接続機能を持つ他の装置によって、情報記録媒体から読み出されたインターネット接続先に迅速且つ容易にアクセスすることができるという効果を得ることができる。
【発明を実施するための最良の形態】
【００１０】
実施の形態１．
図１は、本発明の実施の形態１に係る映像再生装置１００の構成を概略的に示すブロック図である。図１に示されるように、実施の形態１に係る映像再生装置１００は、ＣＰＵ１０１と、ＲＯＭ１０２と、ＲＡＭ１０３と、ＡＶデコーダ１０４と、光ディスクドライブ１０７と、２次元コード生成手段１０８と、暗号化手段１０９と、不揮発性記憶手段１１０と、赤外線通信手段１１１とを有している。映像再生装置１００は、例えば、インターネット接続機能を持たない大容量光ディスクプレーヤである。
【００１１】
ＣＰＵ１０１は、映像再生装置１００全体の動作を制御する情報処理手段である。ＣＰＵ１０１は、抽出手段１０１ａと、表示制御手段１０１ｂと、復号制御手段１０１ｃと、比率変更手段１０１ｄとを有している。抽出手段１０１ａは、光ディスクからの読み出しデータからインターネット接続先情報（インターネットアクセス先情報）を抽出する機能を持つ。表示制御手段１０１ｂは、２次元コード生成手段１０８で生成された２次元コードデータに基づく２次元コード２０３の映像を表示装置１０５に表示させるための処理を行う。復号制御手段１０１ｃは、赤外線通信手段１１１で受信された携帯端末装置３０１の端末識別情報が、識別情報記憶手段に登録済みか否かを判断し、登録済みである場合には、暗号化された前記２次元コードデータを復号するために用いる復号化鍵を赤外線通信手段１１１から携帯端末装置３０１に送信させる。比率変更手段１０１ｄは、表示装置１０５に表示される２次元コード２０３を構成する最小セル（図２の２０８又は図４の４０５）の縦方向の長さを、表示装置１０５の隣接する偶数走査線と奇数走査線の垂直走査方向の間隔の偶数倍の長さに変換する手段である。ＲＯＭ１０２は、ＣＰＵ１０１の動作に関するプログラムやデータが書き込まれる格納手段である。ＲＡＭ１０３は、ＣＰＵ１０１の動作に関するプログラムによって映像再生装置１００を動作させる際に、一時的に情報が書き込まれる一時的格納手段である。
【００１２】
情報記録媒体、例えば、映像及び音声データを格納するＢＤ−ＲＯＭ等の大容量光ディスク１０６である。光ディスクドライブ１０７は、情報記録媒体、例えば、映像及び音声データを格納するＢＤ−ＲＯＭ等の大容量光ディスク１０６に蓄積された情報を読み取る読取手段である。ただし、本発明に適用可能な情報記録媒体は、各種の光ディスクに限定されず、映像データ及びインターネット接続先情報を格納することができる記録媒体であれば、磁気ディスク、フラッシュメモリカード、携帯型ハードディスク装置などの他の記録媒体であってもよい。
【００１３】
ＡＶデコーダ１０４は、光ディスクドライブ１０７から読み取られた情報を映像信号及び音声信号に変換し、表示装置１０５に転送する。２次元コード生成手段１０８は、大容量光ディスク１０６から読み出されたインターネット接続先情報又はインターネット接続先情報と他の情報の組み合わせデータを２次元コードデータに変換し、表示装置１０５にＱＲコード等のような２次元コード２０３を表示させる。
【００１４】
暗号化手段１０９は、インターネット接続先情報又はインターネット接続先情報に他の情報を付加したデータを、２次元コードデータに変換する際に、インターネット接続先情報又はインターネット接続先情報に他の情報を付加したデータを暗号化する機能を持つ。不揮発性記憶手段１１０は、フラッシュメモリやハードディスクドライブ等からなり、２次元コード生成手段１０８にて生成された２次元コードデータなどを保存する。赤外線通信手段１１１は、リモコン３０２からの赤外線信号を受光する機能と、赤外線通信機能を持つ携帯端末装置３０１との間で情報の送受信を行う機能とを持つ。携帯端末装置３０１は、カメラ付携帯電話又はカメラ付ＰＤＡ（Ｐｅｒｓｏｎａｌ  Ｄｉｇｉｔａｌ  Ａｓｓｉｓｔａｎｔ）等の機器である。携帯端末装置３０１は、赤外線通信手段３０１ａと、撮影手段３０１ｂと、復元手段３０１ｃと、復号化手段３０１ｄと、インターネット接続手段３０１ｅとを有している。赤外線通信手段３０１ａは、映像再生装置の赤外線通信手段１１１との間で赤外線信号を送受信する手段である。撮影手段３０１ｂは、カメラ撮影部であり、２次元コード２０３を撮影する手段である。復元手段３０１ｃは、撮影された２次元コードを元のデータに復元する手段である。復号化手段３０１ｄは、暗号化されたデータを復号化する手段である。インターネット接続手段３０１ｅは、無線又は有線によって、インターネット接続する手段である。
【００１５】
大容量光ディスク１０６上の映像、音声ストリームからなるコンテンツを読み出して表示装置１０５に出力する場合、光ディスクドライブ１０７によって大容量光ディスク１０６から読み出された情報は逐次ＲＡＭ１０３に蓄えられた後、ＡＶデコーダ１０４で映像信号及び音声信号に変換されてテレビ等の表示装置１０５に転送され表示される。このとき、ＣＰＵ１０１は、ＲＯＭ１０２に格納されたプログラムに応じて、ＡＶデコーダ１０４に送り込まれる情報を制御する。
【００１６】
図２は、実施の形態１に係る映像再生装置１００が表示装置１０５に２次元コード２０３を表示させる処理を示す図である。図２においては、大容量光ディスク１０６上のコンテンツに関する所定の条件を満たした場合、例えば、所定のシナリオ（映像場面の順序）通りのコンテンツ再生を行った場合にのみアクセス可能なコンテンツがあらかじめ大容量光ディスク１０６上に記録されている。例えば、映像再生装置１００がゲーム機能を有し、大容量光ディスク１０６に格納されているゲームソフトにおいて、所定のレベルのゲームをクリアした場合にのみ、又は、大容量光ディスク１０６に格納されているゲームソフトにおいて最高得点を獲得した場合にのみ、アクセス可能なコンテンツがあらかじめ大容量光ディスク１０６上に記録されている。映像再生装置１００は、大容量光ディスク１０６の再生において、所定の条件を満たしたと判断した場合に、大容量光ディスク１０６に格納されているデータから、コンテンツにアクセスするための手順を配信するアドレスが記述されているインターネット接続先情報２０１を取得する。インターネット接続先情報２０１の取得は、例えば、ＣＰＵ１０１の抽出手段１０１ａが行う。映像再生装置１００の２次元コード生成手段１０８は、インターネット接続先情報２０１を２次元コードデータ２０３ａに変換し、２次元コードデータ２０３ａを含む映像信号を受信した表示装置１０５は２次元コードデータ２０３ａに応じた２次元コード２０３の映像を表示する。
【００１７】
また、図２において、媒体識別情報２０２は、大容量光ディスク１０６に格納されている大容量光ディスク１０６に固有の識別情報であり、必要に応じてインターネット接続先情報２０１に付加されて２次元コード化される。インターネット接続先情報２０１に対して大容量光ディスク１０６に固有の媒体識別情報２０２を追加してから２次元コード２０３に変換しておく場合には、ユーザーが所有する大容量光ディスク１０６が一意であることを示すことができる。大容量光ディスク１０６の固有識別情報２０２としては、大容量光ディスク１０６の所定のディレクトリに格納されているディスクＩＤがある。また、大容量光ディスク１０６の固有識別情報２０２として、ディスクＩＤと同様に、大容量光ディスク１０６の所定のディレクトリに格納されているコンテンツのタイトル名を用いることもできる。また、大容量光ディスク１０６の固有識別情報２０２として、ディスクＩＤとコンテンツのタイトル名を組み合わせることによって形成された識別情報を用いることもできる。
【００１８】
また、暗号化手段１０９は、インターネット接続先情報２０１を暗号化し、その後、２次元コード生成手段１０８が、暗号化されたインターネット接続先情報２０１から２次元コードデータ２０３ａを生成することもできる。暗号化鍵２０４は、２次元コードデータを暗号化するときに使用される鍵であり、暗号化手段１０９によってインターネット接続先情報２０１又はインターネット接続先情報２０１と媒体識別情報２０２の組み合わせデータを暗号化するときに使用される。暗号化に使用する暗号化鍵２０５は、２次元コード２０３の生成時に不揮発性記憶手段１１０に保存しておく。
【００１９】
また、図２において、表示装置１０５の走査線２０５は、インターレース方式を示しており、実線で示される走査線２０６は奇数フィールドで表示される走査線であり、破線で示される走査線２０７は偶数フィールドで表示される走査線であり、黒色のセル２０８は２次元コード２０３を構成する構成要素である。表示装置１０５上に表示している映像がインターレース方式で表示されている場合、奇数フィールド２０６と偶数フィールド２０７からなる映像フレーム群によるインターレース方式表示２０５は、動きのある被写体を写すと、基数番目の走査線と偶数番目の走査線でずれて表示される。したがって、２次元コード２０３の表示を行った場合には、このずれが検出されて携帯端末装置３０１での読み取り時にエラーが生じやすい。したがって、２次元コード生成手段１０８による２次元コード２０３の変換時に、２次元コードの映像の最小単位を構成するセル２０８の垂直方向の長さを、走査線の垂直方向の間隔の偶数倍の長さ、すなわち、２ｎ（ｎは走査線１本の垂直方向の幅）に設定することもできる。
【００２０】
図３は、実施の形態１に係る映像再生装置１００が表示装置１０５に２次元コード２０３を表示させた後の処理を示す図である。図３に示されるように、表示装置１０５は、大容量光ディスク１０６に格納されたコンテンツの映像に重ねて２次元コード２０３を表示する。２次元コード２０３の表示は、所定の条件が満たされた段階、例えば、所定のシナリオにしたがった再生が行われた後に、表示される。なお、２次元コード２０３は、コンテンツ映像を表示させずに、又は、コンテンツ映像に並べて表示させてもよく、また、２次元コード２０３の大きさも、携帯端末で撮影し、インターネット接続情報を復元できる大きさであれば、特に制限はない。
【００２１】
図３に示されるカメラ付携帯端末装置３０１は、映像再生装置１００と１対１で赤外線通信することができる携帯端末装置３０１を、予め登録しておくために、赤外線通信手段１１１を用いた赤外線通信にてカメラ付携帯端末装置３０１に固有の端末識別情報を映像再生装置１００の不揮発性記憶手段１１０に登録しておく。携帯端末装置３０１に固有の端末識別情報としては、例えば、電話番号３０３（例えば、０９０−５５５５−○○○○）などを用いることができる。
【００２２】
ユーザーは、カメラ付携帯端末装置３０１の撮影手段３０１ｂによって、表示装置１０５に表示された２次元コード２０３を撮影し、２次元コード２０３を読み取る。携帯端末装置３０１の復元手段３０１ｃは、読み取った２次元コード２０３をインターネット接続先情報２０１に復元し、必要に応じて復号化手段３０１ｄによってインターネット接続先情報を復号化し、インターネット接続手段３０１ｅによってサーバ５０１にアクセスする。
【００２３】
携帯端末装置３０１で２次元コード２０３を撮影し、暗号化済みのインターネット接続先情報２０１を得た場合には、携帯端末装置３０１より電話番号３０３を赤外線通信手段１１１に送信し、不揮発性記憶手段１１０に登録済みの電話番号３０３にて認証を得た場合に、赤外線通信手段１１１より携帯端末装置３０１に対して復号化鍵３０２を送信することができる。このとき、共通鍵暗号方式を用いる場合は、復号化鍵３０２として、暗号化鍵２０５を用いる。また、公開鍵暗号方式を用いる場合は、復号化鍵３０２は２次元コード生成手段１０８によって生成しておき、暗号化時に暗号化鍵２０５と同様に不揮発性記憶手段１１０に保存しておく。これらの手段は、２次元コード２０３の生成時にＲＯＭ１０２が備えるプログラムにて任意に選択できる。
【００２４】
図４は、実施の形態１に係る映像再生装置の２次元コード表示方法の一例を示す図である。図４において、セル４０２は、２次元コード４０１を構成する一つの四角い領域で、それぞれのセルが白、黒などの明暗のコントラストが鮮明な対比の色に指定される。図４では、一例として、各々のセルを表現するための画面上のドット４０３を４×４ドット単位で１セルとする。表示装置１０５は、例えば、フルＨＤ（Ｆｕｌｌ  Ｈｉｇｈ  Ｄｅｆｉｎｉｔｉｏｎ）を表示可能な場合１９２０×１０８０ドットであり、ＡＶデコーダ１０４にて生成された正方形の静止画を表示装置１０５に表示した場合、正方形であるべき形状は、縦横比率が９：１６の横長の長方形として表示される。このような表示装置１０５に正方形の２次元コードの映像を表示させるためには（図４の右側の２次元コード４０４）、２次元コード生成手段１０８による変換時に生成される２次元コード４０１のセル４０２を縦横比率が１６：９になるセル４０２を構成するように、各ドットの縦横比率を１６：９の楕円として変換することが必要である（図４の左側の２次元コード４０１）。このようにドットを表示することによって、表示装置１０５に表示される２次元コードの映像の縦横比を１：１（正方形）にできる。縦横比の変更は、ＣＰＵ１０１の比率変更手段１０１ｄが行う。比率変更手段１０１ｄによる処理内容は、例えば、リモコン３０２にから表示装置情報が入力されたときに、２次元コード４０１の生成時にＲＯＭ１０２が備えるプログラムにて任意に選択できる。したがって、表示装置１０５の画面の縦横比率情報を保持しておけば、画面の縦横比率に関わらず２次元コードの縦横比率を任意に変えることができる。
【００２５】
図５は、実施の形態１に係る映像再生装置１００によるユーザー登録処理を示すフローチャートである。図５に基づいて、所定の条件を満たした場合に大容量光ディスク１０６に含まれるコンテンツに関連してコンテンツプロバイダとの通信を行うための手順の一例を説明する。
【００２６】
映像再生装置１００は、大容量光ディスク１０６に格納されているコンテンツを、再生順序を規定するシナリオＡにしたがって再生し（ステップＳ２０１）、シナリオＡにしたがう再生が終了した段階でシナリオＢにしたがう再生へ遷移する（ステップＳ２０２）。このように、大容量光ディスク１０６には、所定のシナリオにしたがった再生を完了した場合にのみ、次のシナリオにしたがう再生に遷移することができるように構成されたものがある。図５の例では、シナリオＣにしたがった再生（ステップＳ２０４）、シナリオＤにしたがった再生（ステップＳ２０５）、シナリオＥにしたがった再生（ステップＳ２０６）を順に完了することによって、所定の条件を満たしたことになり（ステップＳ２０３）、ステップＳ２０７の処理に遷移することができる。映像再生装置１００は、大容量光ディスク１０６のコンテンツに関するユーザー登録をしたかどうかを判断し（ステップＳ２０７）、ユーザー登録をしていない場合、サーバの接続用アドレス（インターネット接続先情報２０１）を取得して（ステップＳ２０８）、ユーザ登録のための処理に移行する。
【００２７】
映像再生装置１００は、サーバ５０１の接続用アドレスを得た段階で（ステップＳ２０８）、２次元コード生成手段１０８によってインターネット接続先情報２０１を２次元コード２０３に変換し、表示装置１０５に表示させる（ステップＳ２０９）。その後、カメラ付携帯端末装置３０１を用いることによって２次元コードを撮影し、インターネット接続先情報２０１を復元し（ステップＳ２１０）、インターネット上のサーバにアクセスし（ステップＳ２１１）、大容量光ディスク１０６のコンテンツに関するユーザー登録を行う（ステップＳ２１２）。インターネット接続先情報２０１、２次元コード２０３、及びユーザー登録に関する情報は、赤外線通信手段を用いて、携帯端末装置３０１から映像表示装置１００に送信して、次に大容量光ディスク１０６を再生するときのために、不揮発性記憶手段１１０に保存しておくことができる。
【００２８】
図６は、実施の形態１に係る映像再生装置１００による隠れシナリオ再生処理を示すフローチャートである。映像再生装置１００は、大容量光ディスク１０６に格納されているコンテンツの再生時に、シナリオＡにしたがう再生をし（ステップＳ３０１）、シナリオＡにしたがう再生が終了した段階でシナリオＢにしたがう再生に遷移する（ステップＳ３０２）。図５の例と同様に、所定のシナリオにしたがう再生が完了した場合にのみ次のシナリオにしたがう再生に遷移することができるようなコンテンツがある。映像再生装置１００は、所定のシナリオにしたがう再生が完了した段階で（ステップＳ３０３）、隠れシナリオを再生するためのリモコン操作を要求する。例えば、リモコンの方向キーを、所定の順番（例えば、“上、下、下、右、右、左”の順番、又は、数値パスワード“１、３、５、７、９”の順番など）に操作することによって、ステップＳ３０３の条件を満たしたときに、隠れシナリオにしたがう再生をすることができる（ステップＳ３１１）。この例では、シナリオＣにしたがう再生（ステップＳ３０５）、シナリオＤにしたがう再生（ステップＳ３０６）、及びシナリオＥにしたがう再生（ステップＳ３０７）を順に完了することによって、条件を満たしたことになり（ステップＳ３０４）、ステップＳ３０８に遷移することができる。シナリオＣにしたがう再生（ステップＳ３０５）を完了しなければ、シナリオＤにしたがう再生（ステップＳ３０６）への遷移が起こらず、シナリオＤにしたがう再生（ステップＳ３０６）を完了しなければ、シナリオＥにしたがう再生（ステップＳ３０７）への遷移が起こらず、シナリオＥにしたがう再生（ステップＳ３０７）が完了した場合に、サーバの接続用アドレス（インターネット接続先情報２０１）を取得して（ステップＳ３０８）、隠れシナリオにしたがう再生のための処理に移行する。
【００２９】
映像再生装置１００は、サーバ５０１の接続用アドレスを得た段階で（ステップＳ３０８）、２次元コード生成手段１０８によってインターネット接続先情報２０１を２次元コード２０３に変換し、表示装置１０５に表示させる（ステップＳ３０９）。その後、カメラ付携帯端末装置３０１を用いることによって２次元コードを撮影し、インターネット接続先情報２０１を復元し（ステップＳ３１０）、インターネット上のサーバにアクセスし（ステップＳ３１１）、隠れシナリオの再生操作手順を取得する（ステップＳ３１２）。インターネット接続先情報３０１、２次元コード３０３、及び隠れシナリオの再生操作手順に関する情報は、赤外線通信手段を用いて、携帯端末装置３０１から映像表示装置１００に送信して、次に大容量光ディスク１０６を再生するときのために、不揮発性記憶手段１１０に保存しておくことができる。
【００３０】
以上に説明したように、実施の形態１に係る映像表示装置１００は、大容量光ディスク１０６に記録されているＵＲＬ（Ｕｎｉｆｏｒｍ  Ｒｅｓｏｕｒｃｅ  Ｌｏｃａｔｏｒ）やメールアドレスなどのインターネット接続先情報をＱＲコード等のような２次元コードデータ２０３ａに変換する手段を備え、変換された２次元コードデータ２０３ａに応じた２次元コード２０３の映像を表示装置１０５に表示されている映像に重ねて表示する手段を備えている。このため、表示された２次元コード２０３を撮影手段３０１ｂと２次元コードの復元手段３０１ｃを有する携帯端末装置３０１によって撮影し、携帯端末装置３０１上で復元したインターネット接続先情報によってコンテンツプロバイダとの通信を実現することができる。したがって、実施の形態１に係る映像表示装置１００によれば、大容量光ディスク１０６から読み出されたインターネット接続先情報に対応する２次元コード２０３の映像を表示装置１０５に表示させることができるので、携帯端末装置３０１等のインターネット接続機能を持つ他の装置を用いて、大容量光ディスク１０６から読み出されたインターネット接続先に迅速且つ容易にアクセスすることができる。
【００３１】
また、実施の形態１に係る映像表示装置１００は、ローカルストレージである不揮発性記憶手段１１０にインターネット接続先情報又はインターネット接続先情報を変換したＱＲコードを格納できるようにしたので、保存しておいたインターネット接続先情報又はＱＲコードを用いて、任意の時間（例えば、映像データの再生時以外の時など）に携帯端末装置３０１を用いてコンテンツプロバイダとの通信を実現することができる。
【００３２】
さらに、実施の形態１に係る映像表示装置１００は、インターネット接続先情報をＱＲコード等の２次元コードデータ２０３ａに変換する際に、ユーザーが所有する大容量光ディスク１０６であることを示す固有の媒体識別情報を付加して変換する手段を備えている。このため、２次元コード２０３の映像を携帯端末装置３０１で撮影し、携帯端末装置３０１上で復元したインターネット接続先情報が他で流用されることを防ぐことができる。
【００３３】
さらにまた、実施の形態１に係る映像表示装置１００は、インターネット接続先情報を２次元コードデータ２０３ａに変換する際に、暗号化手段１０９によって暗号化することができる。このため、２次元コード２０３の映像を携帯端末装置３０１で撮影しても、携帯端末装置３０１上で復元したインターネット接続先情報が漏洩することを防ぐことができる。
【００３４】
また、実施の形態１に係る映像表示装置１００は、インターネット接続先情報を２次元コードデータ２０３ａに変換する際に、暗号化して変換する手段に加え、事前に登録済みの赤外線通信手段を備えた携帯端末装置に対して認証する手段と復号化の鍵を送信する手段を備えている。このため、２次元コード化されたインターネット接続先情報と復号化に使用する鍵を別々に扱うことができ、携帯端末装置３０１上で復元したインターネット接続先情報が漏洩することを防ぐことができる。
【００３５】
さらに、実施の形態１に係る映像表示装置１００は、インターネット接続先情報を２次元コードデータ２０３ａに変換し表示装置１０５に表示する際に、表示装置１０５がインターレース方式であっても走査線の間隔の偶数倍の大きさを２次元コードの最小単位セルの垂直方向の長さをしたので、携帯端末装置３０１を利用した読み取り時にエラーを少なくすることができる。
【００３６】
さらに、実施の形態１に係る映像表示装置１００は、インターネット接続先情報を２次元コードデータ２０３ａに変換し表示装置１０５に表示する際に、表示装置１０５の縦横比率に関わらず２次元コード２０３のセル上の各ドットの縦横比が１：１（正方形）になるように変換することによって、いかなる縦横比率の表示装置１０５であっても、携帯端末装置３０１を利用した読み取りできる。
【００３７】
実施の形態２．
図７は、本発明の実施の形態２に係る映像再生装置２００の構成を概略的に示すブロック図である。図７において、図１（実施の形態１）に示される構成と同一又は対応する構成には、同じ符号を付す。
【００３８】
実施の形態２に係る映像再生装置２００は、実施の形態１に係る映像再生装置１００に、ネットワーク接続手段７０１を追加した構成を有する。実施の形態２に係る映像再生装置２００は、ネットワーク接続手段７０１に接続されたネットワーク７０２、例えば、イーサネット（登録商標）を介して他の装置に接続される。他の映像再生装置８０１は、ネットワーク７０２を介してアクセスされることができる不揮発性記憶手段８０２を有する。実施の形態２に係る映像再生装置２００のネットワーク接続手段７０１は、ネットワーク７０２を介して他の映像再生装置８０１の不揮発性記憶手段８０２にアクセスすることができる。
【００３９】
他の映像再生装置８０１の不揮発性記憶手段８０２には、例えば、インターネット接続先情報、２次元コード、ユーザー登録に関する情報、又はリモコン操作手順等が格納されている。実施の形態２に係る映像再生装置２００は、他の映像再生装置８０１の不揮発性記憶手段８０２に保存されているインターネット接続先情報、２次元コード、ユーザー登録に関する情報、又はリモコン操作手順等を選択するためのプログラムをＲＯＭ１０２に格納している。また、実施の形態２に係る映像再生装置２００は、映像再生装置２００の不揮発性記憶手段１１０又は他の映像再生装置８０１の不揮発性記憶手段８０２のいずれかを指定するためのプログラムをＲＯＭ１０２に格納している。実施の形態２に係る映像再生装置２００は、例えば、ＨＴＴＰプロトコルを用いてＨＴＭＬで記述された文書に指定メディアを書き込んで、他の映像再生装置８０１との間で情報を送受信することによって、他の映像再生装置８０１の不揮発性記憶手段８０２に記憶されているインターネット接続先情報、２次元コード、ユーザー登録に関する情報、又はリモコン操作手順等を用いることができる。
【００４０】
実施の形態２に係る映像再生装置２００によれば、他の映像再生装置８０１の不揮発性記憶手段８０２に保存されているインターネット接続先情報又は２次元データを用いて任意の時間に、携帯端末装置３０１を用いてインターネット上のサーバ５０１（例えば、コンテンツプロバイダ）との通信を実現することができる。
【００４１】
なお、実施の形態２において、上記以外の点は、上記実施の形態１の場合と同じである。
【００４２】
実施の形態３．
図８は、本発明の実施の形態３に係る映像再生装置３００の構成を概略的に示すブロック図である。図８において、図１（実施の形態１）に示される構成と同一又は対応する構成には、同じ符号を付す。
【００４３】
実施の形態３に係る映像再生装置３００は、実施の形態１に係る映像再生装置１００に、ネットワーク接続手段７０１を追加した構成を有する。実施の形態３に係る映像再生装置３００は、ネットワーク接続手段７０１に接続されたネットワーク７０２、例えば、イーサネット（登録商標）を介して他の装置であるパーソナルコンピュータ（ＰＣ）に接続される。ＰＣ８１１は、ネットワーク７０２を介してアクセスされることができる不揮発性記憶手段８１２を有する。実施の形態３に係る映像再生装置２００のネットワーク接続手段７０１は、ネットワーク７０２を介してＰＣ８１１の不揮発性記憶手段８１２にアクセスすることができる。
【００４４】
ＰＣ８１１の不揮発性記憶手段８１２には、例えば、インターネット接続先情報、２次元コード、ユーザー登録に関する情報、又はリモコン操作手順等が格納されている。実施の形態３に係る映像再生装置３００は、ＰＣ８１１の不揮発性記憶手段８１２に保存されているインターネット接続先情報、２次元コード、ユーザー登録に関する情報、又はリモコン操作手順等を選択するためのプログラムをＲＯＭ１０２に格納している。また、実施の形態３に係る映像再生装置３００は、映像再生装置３００の不揮発性記憶手段１１０又はＰＣ８１１の不揮発性記憶手段８１２のいずれかを指定するためのプログラムをＲＯＭ１０２に格納している。実施の形態３に係る映像再生装置３００は、例えば、ＨＴＴＰプロトコルを用いてＨＴＭＬで記述された文書に指定メディアを書き込んで、ＰＣ８１１との間で情報を送受信することによって、ＰＣ８１１の不揮発性記憶手段８１２に記憶されているインターネット接続先情報、２次元コード、ユーザー登録に関する情報、又はリモコン操作手順等を用いることができる。
【００４５】
実施の形態３に係る映像再生装置３００によれば、ＰＣ８１１の不揮発性記憶手段８１２に保存されているインターネット接続先情報又は２次元データを用いて任意の時間に、携帯端末装置３０１を用いてインターネット上のサーバ５０１（例えば、コンテンツプロバイダ）との通信を実現することができる。
【００４６】
なお、実施の形態２において、上記以外の点は、上記実施の形態１又は２の場合と同じである。
【図面の簡単な説明】
【００４７】
【図１】本発明の実施の形態１に係る映像再生装置の構成を概略的に示すブロック図である。
【図２】実施の形態１に係る映像再生装置が表示装置に２次元コードを表示させる処理を示す図である。
【図３】実施の形態１に係る映像再生装置が表示装置に２次元コードを表示させた後の処理を示す図である。
【図４】実施の形態１に係る映像再生装置の２次元コード表示方法の一例を示す図である。
【図５】実施の形態１に係る映像再生装置によるユーザー登録処理を示すフローチャートである。
【図６】実施の形態１に係る映像再生装置による隠れシナリオ再生処理を示すフローチャートである。
【図７】本発明の実施の形態２に係る映像再生装置の構成を概略的に示すブロック図である。
【図８】本発明の実施の形態３に係る映像再生装置の構成を概略的に示すブロック図である。
【符号の説明】
【００４８】
１００，２００，３００  映像再生装置、  １０１  ＣＰＵ、  １０２  ＲＯＭ、  １０３  ＲＡＭ、  １０４  ＡＶデコーダ、  １０５  表示装置、  １０６  大容量光ディスク、  １０７  光ディスクドライブ、  １０８  ２次元コード生成手段、  １０９  暗号化手段、  １１０  不揮発性記憶手段、  １１１  赤外線通信手段、  ２０１  インターネット接続先情報、  ２０２  媒体識別情報、  ２０３  ２次元コード、  ２０３ａ  ２次元コードデータ、  ２０４  暗号化鍵、  ２０５  インターレース方式表示、  ２０６  奇数フィールド、  ２０７  偶数フィールド、  ２０８  セル、  ３０１  カメラ付携帯端末装置、  ３０１ａ  赤外線通信手段、  ３０１ｂ  撮影手段、  ３０１ｃ  復元手段、  ３０１ｄ  復号化手段、  ３０１ｅ  インターネット接続手段、  ３０２  復号化鍵、  ３０３  電話番号、  ４０１  ２次元コード、  ４０２  セル、  ４０３  ドット、  ４０４  ２次元コード、  ４０５  セルＢ、  ４０６  ドット、  ５０１  サーバ、  ７０１  ネットワーク接続手段、  ７０２  ネットワーク、  ８０１  他の映像再生装置、  ８０２，８１２  不揮発性記憶手段、  ８１１  ＰＣ。
【図１】
2008294910.tif 000003
【図２】
2008294910.tif 000004
【図３】
2008294910.tif 000005
【図４】
2008294910.tif 000006
【図５】
2008294910.tif 000007
【図６】
2008294910.tif 000008
【図７】
2008294910.tif 000009
【図８】
2008294910.tif 000010